【手続補正書】
【提出日】平成16年5月28日(2004.5.28)
【手続補正１】
【補正対象書類名】明細書
【補正対象項目名】発明の名称
【補正方法】変更
【補正の内容】
【発明の名称】座席券発売システムおよび券売機
【手続補正２】
【補正対象書類名】明細書
【補正対象項目名】特許請求の範囲
【補正方法】変更
【補正の内容】
【特許請求の範囲】
【請求項１】
券売機により発売される座席券の発売状況を管理する管理センタと、複数箇所の駅毎に設置され、前記センタと接続され、前記センタから当該駅で発売可能な座席券の座席数を示す座席データを受信し座席券を発売する券売機とからなる座席券発売システムにおいて、
各駅毎の券売機に送信する座席数データを予め記憶している記憶手段と、
この記憶手段に記憶されている前記座席データを前記券売機に送信する送信手段と、
前記券売機において発売可能な座席券の座席数を表示する表示器と、
を具備したことを特徴とする座席券発売システム。
【請求項２】
券売機により発売される座席券の発売状況を管理する管理センタと、複数箇所の駅毎に設置され、前記センタと接続され、前記センタから当該駅で発売可能な座席券の座席数を示す座席データを受信し座席券を発売する券売機とからなる座席券発売システムにおいて、
各駅毎の券売機に送信する座席数データを予め記憶している記憶手段と、
この記憶手段に記憶されている前記座席データを前記券売機に送信する第１の送信手段と、
前記券売機において発売可能な座席券の座席数を表示する表示器と、
前記券売機において発売可能な座席券の座席数を前記表示器に表示させる第１の表示制御手段と、
前記券売機において発売可能な座席券の座席数が所定数以下となったとき、前記管理センタにて管理されている座席券の座席数を示す座席データを前記券売機に送信する第２の送信手段と、
この第２の送信手段にて送信された前記座席データを前記表示器に表示させる第２の表示制御手段と、
を具備したことを特徴とする座席券発売システム。
【請求項３】
請求項２において、前記第２の表示制御手段は、前記管理センタで管理している前記座席データがなくなり前記第２の送信手段により前記座席データを前記券売機に送信できなくなつたとき、前記第１の表示制御手段とは異なる形態で前記座席データを表示させる手段を備えたことを特徴とする座席券発売システム。
【請求項４】
券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムにおいて、
各駅毎の券売機に送信する座席数データを予め記憶している記憶手段と、
この記憶手段に記憶されている前記座席データを前記券売機に送信する送信手段と、
同一駅の複数台の券売機において発売可能な座席券の座席数の総数を表示する表示器と、
を具備したことを特徴とする座席券発売システム。
【請求項５】
券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムにおいて、
各駅毎の複数台の券売機に送信する座席数データを予め記憶している記憶手段と、この記憶手段に記憶されている前記座席データを前記複数台の券売機に送信する第１の送信手段と、
前記複数台の券売機において発売可能な座席券の座席数を表示する表示器と、
前記複数台の券売機において発売可能な座席券の座席数の総数を前記表示器に表示させる第１の表示制御手段と、
前記複数台の券売機において発売可能な座席券の座席数が所定数以下となったとき、前記管理センタにて管理されている座席券の座席数を示す座席データを前記複数台の券売機に送信する第２の送信手段と、
この第２の送信手段にて送信された前記座席データに基づいて、前記複数台の券売機で発売可能な座席券の座席数の総数を前記表示器に表示させる第２の表示制御手段と、
を具備したことを特徴とする座席券発売システム。
【請求項６】
請求項５において、前記第２の表示制御手段は、前記管理センタで管理している前記座席データがなくなり前記第２の送信手段により前記座席データを前記券売機に送信できなくなつたとき、前記第１の表示制御手段とは異なる形態で前記座席数の総数を表示させる手段を備えたことを特徴とする座席券発売システム。
【請求項７】
券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムにおいて、
前記各駅毎の複数台の券売機は、
前記駅の複数台の券売機に送信すべき座席数データを予め記憶している記憶手段と、
前記駅の複数台の券売機に前記記憶手段に記憶されている前記座席データを送信することを指示入力する入力手段とを備え、
前記管理センタは、
前記入力手段の入力に応答し、管理する座席券の座席数を示す座席データを送信する第１の送信手段とを備え、
当システムは、さらに、
前記駅に設けられ、当該駅の複数台の券売機において発売可能な座席券の座席数の総数を表示する表示器を備え、
前記駅の複数台の券売機は、さらに、発売可能な座席券の座席数が所定数以下となったとき、前記管理センタにて管理されている座席券の座席数を示す座席データを前記複数台の券売機に送信するよう要求する座席データ送信要求手段とを備え、
前記管理センタは、さらに、前記座席データ送信要求手段の要求に応答して前記座席データを送信する第２の送信手段とを備え、
前記表示器は、さらに、前記第２の送信手段にて送信された前記座席データに基づいて、前記駅の複数台の券売機で発売可能な座席券の座席数の総数を表示する手段と、前記管理センタで管理している前記座席データがなくなり前記第２の送信手段により前記座席データを前記券売機に送信できなくなったとき、前記第１の表示制御手段とは異なる形態で前記座席数の総数を表示する手段とを備えたことを特徴とする座席券発売システム。
【請求項８】
座席券の発売を管理する管理センタと、
各駅に設置され、前記センタと伝送路を介して接続され、前記センタから発売可能な当該駅の座席総数および当該券売機で発売する座席数を受信する手段を有する複数台の券売機と、
前記券売機が受信した前記当該駅の座席総数および当該券売機で発売する座席数を表示する表示手段と、
を具備することを特徴とする座席券発売システム。
【請求項９】
各駅に設置され、座席券の発売を管理する管理センタと伝送路を介して接続され、前記管理センタから発売可能な当該駅の座席総数および当該券売機で発売する座席数を受信する手段を有する券売機において、
受信した前記当該駅の座席総数および当該券売機で発売する座席数を表示する表示手段を具備することを特徴とする券売機。
【手続補正３】
【補正対象書類名】明細書
【補正対象項目名】０００５
【補正方法】変更
【補正の内容】
【０００５】
従って本発明はこのような座席券発売システムおよび券売機において、券売機へＤＬＬされた座席数表示を、当該駅の全体数とその号機分の数を共に表示することにより、その号機が全体数のどれだけの数の座席を発売出来るかを容易に認識できる券売機、およびこの券売機を用いた座席券発売システムを提供することを目的とする。
【手続補正４】
【補正対象書類名】明細書
【補正対象項目名】０００６
【補正方法】変更
【補正の内容】
【０００６】
【課題を解決するための手段】
上記課題を解決するために本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する券売機とからなる座席券発売システムであって、各駅毎の券売機に送信する座席数データを予め記憶している記憶手段と、この記憶手段に記憶されている前記座席データを前記券売機に送信する送信手段と、前記券売機において発売可能な座席券の座席数を表示する表示器と、を具備する。
【手続補正５】
【補正対象書類名】明細書
【補正対象項目名】０００９
【補正方法】変更
【補正の内容】
【０００９】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムであって、各駅毎の券売機に送信する座席数データを予め記憶している記憶手段と、この記憶手段に記憶されている前記座席データを前記券売機に送信する送信手段と、同一駅の複数台の券売機において発売可能な座席券の座席数の総数を表示する表示機とを具備する。
【手続補正６】
【補正対象書類名】明細書
【補正対象項目名】００１１
【補正方法】変更
【補正の内容】
【００１１】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムであって、前記各駅毎の複数台の券売機は、前記駅の複数台の券売機に送信すべき座席数データを予め記憶している記憶手段と、前記駅の複数台の券売機に前記記憶手段に記憶されている前記座席データを送信することを指示入力する入力手段とを備え、前記管理センタは、前記入力手段の入力に応答し、管理する座席券の座席数を示す座席データを送信する第１の送信手段とを備え、当システムは、さらに、前記駅に設けられ、当該駅の複数台の券売機において発売可能な座席券の座席数の総数を表示する表示器を備え、前記駅の複数台の券売機は、さらに、発売可能な座席券の座席数が所定数以下となったとき、前記管理センタにて管理されている座席券の座席数を示す座席データを前記複数台の券売機に送信するよう要求する座席データ送信要求手段とを備え、前記管理センタは、さらに、前記座席データ送信要求手段の要求に応答して前記座席データを送信する第２の送信手段とを備え、前記表示機は、さらに、前記第２の送信手段にて送信された前記座席データに基づいて、前記駅の複数台の券売機で発売可能な座席券の座席数の総数を表示する手段と、前記管理センタで管理している前記座席データがなくなり前記第２の送信手段により前記座席データを前記券売機に送信できなくなったとき、前記第１の表示制御手段とは異なる形態で前記座席数の総数を表示する手段とを備えている。
【手続補正７】
【補正対象書類名】明細書
【補正対象項目名】００１８
【補正方法】変更
【補正の内容】
【００１８】
センタ２は、券売機１の係員操作により、券売機１より要求された座席数に対応する発売可能座席数と共に、その時点、その駅で発売可能な座席総数を券売機１に送信する。センタ２から送信されたデータは伝送路３、通信インタフェース７、バス６を通じて、メモリ１０に記憶される。これにより、券売機１にはセンタ２から所定の座席数が確保される。券売機１は、確保したその座席数を基に座席の発売を行い、その座席数が一定数より少なくなったのを基に、再度、座席数をセンタに要求する。
【手続補正８】
【補正対象書類名】明細書
【補正対象項目名】００３２
【補正方法】変更
【補正の内容】
【００３２】
【発明の効果】
本発明により、該当券売機で発売可能な座席数と、その駅で発売可能な座席総数を外部表示器１７へ表示することが出来、該当券売機で発売可能な座席数が、一定数以下になったのに基づき、追加座席数を要求すると共に、その時点その駅で発売可能な座席総数を表示することにより、発売完了までの座席数の把握と発売推移状態を確認することが出来る。